(57)【要約】【課題】プロジェクタから投射された光束を効果的に利用して被写体を撮影する電子機器を提供する。【解決手段】被写体の撮影を行う撮影ユニット１８と、画像の投影を行う光束を投射する投影ユニット２０と、前記光束が前記撮影ユニットにより撮影される範囲を照射するように、前記光束の進行方向及び光路領域を決定する少なくとも一つの光束調整窓を有する光束調整部材２４とを備える。【選択図】図２
2011253022.tif 000002
【特許請求の範囲】
【請求項１】
被写体の撮影を行う撮影ユニットと、
画像の投影を行う光束を投射する投影ユニットと、
前記光束が前記撮影ユニットにより撮影される範囲を照射するように、前記光束の進行方向及び光路領域を決定する少なくとも一つの光束調整窓を有する光束調整部材と
を備えることを特徴とする電子機器。
【請求項２】
前記光束調整部材は、
前記光束をＡＦ補助光として用いる場合に前記ＡＦ補助光の進行方向及び光路領域を決定するＡＦ補助光用光束調整窓、及び前記光束をフラッシュ光として用いる場合に前記フラッシュ光の進行方向及び光路領域を決定するフラッシュ光用光束調整窓のうちの少なくとも一つを備えることを特徴とする請求項１に記載の電子機器。
【請求項３】
前記投影ユニットにより画像の投影が行われる場合、前記光束調整部材における前記ＡＦ補助光用光束調整窓及び前記フラッシュ光用光束調整窓の位置を前記光束の光路外に移動させる前記光束調整部材駆動部を備えることを特徴とする請求項２に記載の電子機器。
【請求項４】
前記撮影ユニットにより被写体の撮影が行われる場合、前記光束調整部材における前記ＡＦ補助光用光束調整窓または前記フラッシュ光用光束調整窓の位置を前記光束の光路上に移動させる前記光束調整部材駆動部を備えることを特徴とする請求項２に記載の電子機器。
【発明の詳細な説明】
【技術分野】
【０００１】
本発明は、電子機器に関するものである。
【背景技術】
【０００２】
プロジェクタを内蔵するカメラが知られている（例えば、特許文献１参照）。
【先行技術文献】
【特許文献】
【０００３】
【特許文献１】特開２００６−９１０９１号公報
【発明の概要】
【発明が解決しようとする課題】
【０００４】
しかし、上述のカメラにおいては、カメラにおける撮影中心とプロジェクタにおける投影中心とが一致せず、また、カメラにおける撮影範囲とプロジェクタにおける投影範囲とが一致しないため、プロジェクタ投影光を撮影用の補助光として用いても補助光としての十分な機能を果たすことできず実用性に欠けるという問題があった。
【０００５】
本発明の目的は、プロジェクタから投射された光束を効果的に利用して被写体を撮影することができる電子機器を提供することである。
【課題を解決するための手段】
【０００６】
本発明の電子機器は、被写体の撮影を行う撮影ユニットと、画像の投影を行う光束を投射する投影ユニットと、前記光束が前記撮影ユニットにより撮影される範囲を照射するように、前記光束の進行方向及び光路領域を決定する少なくとも一つの光束調整窓を有する光束調整部材とを備えることを特徴とする。
【発明の効果】
【０００７】
本発明の電子機器によれば、プロジェクタから投射された光束を効果的に利用して被写体を撮影することができる。
【図面の簡単な説明】
【０００８】
【図１】実施の形態に係るデジタルカメラの前面の外観を示す斜視図である。
【図２】実施の形態に係るデジタルカメラの筐体の内部を示す正面図である。
【図３】実施の形態に係るデジタルカメラにおける投影ユニットの構成を示す図である。
【図４】実施の形態に係るデジタルカメラにおける光束調整部材及び投影ユニットの断面図である。
【図５】実施の形態に係るデジタルカメラにおける光束調整部材及び投影ユニットの断面図である。
【図６】実施の形態に係るデジタルカメラのシステム構成を示すブロック図である。
【図７】実施の形態に係るデジタルカメラの処理を示すフローチャートである。
【図８】実施の形態に係るデジタルカメラの電源ＯＦＦ時における光束調整部材の位置を示す図である。
【図９】実施の形態に係るデジタルカメラのＡＦ補助光投射時における光束調整部材の位置を示す図である。
【図１０】実施の形態に係るデジタルカメラの画像投影時における光束調整部材の位置を示す図である。
【図１１】実施の形態に係るデジタルカメラのＡＦ補助光投射時におけるＡＦ補助光の光路を示す平面図である。
【図１２】実施の形態に係るデジタルカメラのＡＦ補助光投射時におけるＡＦ補助光の光路を示す側面図である。
【図１３】実施の形態に係るデジタルカメラのフラッシュ光投射時における光束調整部材の位置を示す図である。
【図１４】実施の形態に係るデジタルカメラのフラッシュ光投射時におけるフラッシュ光の照射範囲を示す平面図である。
【図１５】実施の形態に係るデジタルカメラのフラッシュ光投射時におけるフラッシュ光の照射範囲を示す側面図である。
【発明を実施するための形態】
【０００９】
以下、図面を参照して本発明の実施の形態に係るデジタルカメラについて説明する。図１は、実施の形態に係るデジタルカメラの前面の外観を示す斜視図である。デジタルカメラ２は、金属やプラスチックからなる筐体４を備え、筐体４の前面には、被写体光を入射させる撮影窓６、投影画像の投影を行う投影窓８が設けられている。また、カメラ２の上面には、レリーズ動作を指示するレリーズボタン１２、電源ボタン１４、カメラ撮影を行う撮影モードと投影画像の投影を行う投影モードとを切り換えるＰＪボタン１６が設けられている。
【００１０】
図２は、実施の形態に係るデジタルカメラ２の筐体４の内部を示す正面図である。デジタルカメラ２の内部には、被写体を撮影するための撮影ユニット１８、投影画像の投影を行うための投影ユニット２０、撮影ユニット１８及び投影ユニット２０に電力を供給する電池２２、筐体４内を移動する光束調整部材２４、光束調整部材２４の位置を移動させる駆動モータ２６が設けられている。
【００１１】
ここで、光束調整部材２４は、筐体４の幅方向に長辺を有する長方形の形状を有しており、筐体４の内部において投影ユニット２０の上部前面側に配置されている。また、光束調整部材２４の長辺方向の長さは、投影ユニット２０の開口部４４（図１０参照）の幅の略３倍程度の長さであり、光束調整部材２４の短辺方向の長さは、開口部４４の高さよりも若干大きい長さである。また、光束調整部材２４は、撮影ユニット１８側に開口部４４を遮蔽する遮蔽部２７、中央部に被写体を撮影するための測距を行う際に所定の輝度を得るために発光するＡＦ補助光を投射する円形状のＡＦ補助光用光束調整窓２８、電池２２側に撮影時に所定の輝度を得るために閃光するフラッシュ光を投射する長方形状のフラッシュ光用光束調整窓３０を備えている。
【００１２】
また、駆動モータ２６は図示しない回転軸を有し、回転軸にはピニオンギア３１が固定されている。このピニオンギア３１は、光束調整部材２４の下部に設けられたラックギア３２と係合しており、駆動モータ２６の駆動によりピニオンギア３１が回転すると、光束調整部材２４は、筐体４の幅方向に沿って筐体４の内部を移動する。
【００１３】
図３は、実施の形態に係る投影ユニット２０の構成を示す図である。投影ユニット２０は、光源であるＬＥＤ３３、ＬＥＤ３３から射出された光束を略平行とするための集光レンズ３４、入射した光束をＰ偏光成分の光束とＳ偏光成分の光束とに分離する偏光ビームスプリッタ３６、投影ユニット２０により投影する投影画像を表示するＬＣＯＳ３８、投影画像を投影するための投影レンズ４０、投影レンズ４０から射出された光束の投影方向を偏向させるためのミラー４２を備えている。ここで、ＬＥＤ３３から射出される光束の輝度としては、ＡＦ補助光用輝度、フラッシュ光用輝度、光学像投影用輝度の３種の輝度が予め設定されており、ＬＥＤ３３の点灯時に適宜光束の輝度が所定の輝度に調整される。なお、輝度のレベルは、フラッシュ光用輝度が最も高く、ＡＦ補助光用輝度が最も小さい。
【００１４】
図４は、光束調整部材２４のＡＦ補助光用光束調整窓２８が投影ユニット２０の開口部４４上に位置する場合における光束調整部材２４及び投影ユニット２０の断面図である。この場合、開口部４４から射出された光束は、ＡＦ補助光用光束調整窓２８において進行方向及び光路領域が決定された後、投影窓８を介して筐体４の前面方向に投射される。なお、ＡＦ補助光用光束調整窓２８は、所定のサイズの円形状の開口部を有しており、光束の進行方向及び光路領域は、ＡＦ補助光用光束調整窓２８の開口部のサイズにより一義的に決定される。
【００１５】
図５は、光束調整部材２４のフラッシュ光用光束調整窓３０が投影ユニット２０の開口部４４上に位置する場合における光束調整部材２４及び投影ユニット２０の断面図である。この場合、開口部４４から射出された光束は、フラッシュ光用光束調整窓３０において進行方向及び光路領域を決定された後、投影窓８を介して筐体４の前面方向に投射される。なお、フラッシュ光用光束調整窓３０は、所定のサイズの長方形状の開口部を有しており、光束の進行方向及び光路領域は、フラッシュ光用光束調整窓３０の開口部のサイズにより一義的に決定される。
【００１６】
図６は、実施の形態に係るデジタルカメラ２のシステム構成を示すブロック図である。デジタルカメラ２はＣＰＵ５０を備え、ＣＰＵ５０には、撮影ユニット１８、投影ユニット２０、レリーズボタン１２、電源ボタン１４、ＰＪボタン１６等を含む操作部５２が接続されている。
【００１７】
ここで、撮影ユニット１８は、撮影制御回路７０、撮像素子７２、撮影レンズ７４、レンズ駆動回路７６を備えている。なお、撮影制御回路７０は、ＣＰＵ５０からの指示により、撮像素子７２及びレンズ駆動回路７６の駆動制御を行う。
【００１８】
また、投影ユニット２０は、投影レンズ４０、ＬＣＯＳ３８、ＬＥＤ３３、投影制御回路８２、レンズ駆動回路８４、光束調整部材２４の駆動を制御する光束調整部材駆動回路８６を備えている。ここで、投影制御回路８２は、ＣＰＵ５０から出力される投影指示に基づきＬＥＤ３３、ＬＣＯＳ３８及びレンズ駆動回路８４の制御を行い、光束の投射及び画像の投影を行う。また、ＣＰＵ５０から出力される駆動指示に基づいて光束調整部材駆動回路８６を操作し、光束調整部材２４を所定の位置に移動する。
【００１９】
また、ＣＰＵ５０には、撮影ユニット１８の撮像素子７２から出力された撮影信号を図示しないＡ／Ｄ変換部においてＡ／Ｄ変換することにより生成された画像データを記憶するメモリ５４、撮影画像、投影画像、音声等のデータを記憶するメモリカード５６、筐体４の背面に設けられ、撮影された画像等を表示する液晶表示部５８、電池２２から撮影ユニット１８及び投影ユニット２０の各部へ電力の供給を行う電源回路６０、音声を取得するマイク６２、音声データに基づく音声の出力を行うスピーカＳＲ６４及びスピーカＳＬ６６、外部機器との間で画像データ等の送出または取得を行う外部インターフェイス６８が接続されている。
【００２０】
次に、図７に示すフローチャートを参照して実施の形態に係るデジタルカメラ２の処理について説明する。まず、図８に示すように、電源ＯＦＦ時においては、光束調整部材２４の遮蔽部２７が投影ユニット２０の開口部４４上に位置し、投影ユニット２０の開口部４４は光束調整部材２４によって遮蔽されている。電源ボタン１４がオンされると、ＣＰＵ５０は、撮影ユニット１８により被写体の撮影を行う撮影モードを設定し（ステップＳ１）、投影制御回路８２を介して光束調整部材駆動回路８６により駆動モータ２６を駆動させ、ピニオンギア３１を回転させて、図９に示すようにＡＦ補助光用光束調整窓２８が投影ユニット２０の開口部４４上に位置するように光束調整部材２４を移動させる（ステップＳ２）。
【００２１】
次に、ＣＰＵ５０は、ＰＪボタン１６が押下されたか否かの判定を行う（ステップＳ３）。ＰＪボタン１６が押下された場合、ＣＰＵ５０は、投影ユニット２０により投影画像の投影を行う投影モードに設定する（ステップＳ４）。次に、投影制御回路８２を介して光束調整部材駆動回路８６を制御し、図１０に示すように、光束調整部材２４を投影ユニット２０の開口部４４上から移動させ、開口部４４を開放する（ステップＳ５）。光束調整部材２４の移動が完了すると、ＣＰＵ５０は、投影ユニット２０に投影開始の指示を行い、メモリカード５６から画像データを読み出して、投影制御回路８２により画像データに基づく画像をＬＣＯＳ３８に表示する。また、投影制御回路８２は、投影開始の指示により、ＬＥＤ３３から射出される光束の輝度を光学像投影用輝度に調整して点灯し、投影窓８から投影光を射出して所定の位置に投影画像を投影する（ステップＳ６）。
【００２２】
一方、ＰＪボタン１６が押下されなかった場合において（ステップＳ３；Ｎｏ）、操作者によりレリーズボタン１２が半押しされると（ステップＳ７）、ＣＰＵ５０は、投影ユニット２０にＡＦ補助光の照射開始の指示を行い、投影制御回路８２は、ＬＥＤ３３から射出される光束の輝度をＡＦ補助光用輝度に調整して点灯し、開口部４４からＡＦ補助光を射出する（ステップＳ８）。開口部４４から射出されたＡＦ補助光は、ＡＦ補助光用光束調整窓２８において進行方向及び光路領域を決定された後、投影窓８を介して射出され、被写体を照射する。
【００２３】
ここで、図１１は、デジタルカメラ２を上から見た場合におけるＡＦ補助光の光路を示す平面図である。図１１に示すように、被写体から撮影窓６及び撮影レンズ７４を介して撮影ユニット１８に入射する被写体光の入射光路と、投影ユニット２０から射出され、光束調整部材２４のＡＦ補助光用光束調整窓２８において進行方向及び光路領域を決定された後、投影窓８から射出されるＡＦ補助光の光路は、撮影ユニット１８における標準焦点の焦点位置において交差し、焦点位置における撮影中心と、ＡＦ補助の投影中心が略一致する。また、図１２は、デジタルカメラ２を撮影ユニット１８側の側面から見た場合におけるＡＦ補助光の光路を示す側面図である。側面から見た場合においても同様に、被写体から撮影窓６及び撮影レンズ７４を介して撮影ユニット１８に入射する被写体光の入射光路と、投影ユニット２０から射出され、光束調整部材２４のＡＦ補助光用光束調整窓２８において進行方向及び光路領域を決定された後、投影窓８から射出されるＡＦ補助光の光路は、撮影ユニット１８における標準焦点の焦点位置において交差し、焦点位置における撮影中心と、ＡＦ補助の投影中心が略一致する。
【００２４】
次に、ＣＰＵ５０は、撮影ユニット１８を制御し、ＡＦ補助光が被写体に照射された状態において被写体の測光及び筐体４から被写体までの距離の測距を行い、測光及び測距が完了した後にＬＥＤ３３を消灯する（ステップＳ９）。次に、撮影制御回路７０は、測距結果に基づき、レンズ駆動回路７６を作動して撮影レンズ７４を移動させて焦点調節を行う。一方、ＣＰＵ５０は、測光結果に基づいて被写体の輝度が所定の閾値を超えたか否かの判定を行う（ステップＳ１０）。なお、所定の閾値については、操作者が任意に設定することができる。
【００２５】
被写体の輝度が所定の閾値を超えた場合において（ステップＳ１０；Ｙｅｓ）、操作者によりレリーズボタン１２が全押しされると（ステップＳ１１）、撮像素子７２により撮影が行われ（ステップＳ１５）、撮像素子７２から撮像制御回路７０を介して読み出された撮像信号に基づく画像データがメモリ５４に記憶され、Ｅｘｉｆ等の所定のファイル形式の画像ファイルとしてメモリカード５６に記憶される。
【００２６】
一方、被写体の輝度が所定の閾値を超えなかった場合において（ステップＳ１０；Ｎｏ）、ＣＰＵ５０は、光束調整部材駆動回路８６を制御して駆動モータ２６を駆動させ、ピニオンギア３１を回転させて、図１３に示すようにフラッシュ光用光束調整窓３０が投影ユニット２０の開口部４４上に位置するように光束調整部材２４を移動させる（ステップＳ１２）。次に、操作者によりレリーズボタン１２が全押しされると（ステップＳ１３）、ＣＰＵ５０は、投影ユニット２０にフラッシュ光の照射開始の指示を行い、投影制御回路８２は、ＬＥＤ３３から射出される光束の輝度をフラッシュ光用輝度に調整して点灯し、開口部４４からフラッシュ光を射出する（ステップＳ１４）。開口部４４から射出されたフラッシュ光は、フラッシュ光用光束調整窓３０において進行方向及び光路領域を決定された後、投影窓８を介して射出され、被写体を照射する。
【００２７】
ここで、図１４は、デジタルカメラ２を上から見た場合におけるフラッシュ光の照射範囲を示す平面図である。図１４に示すように、撮影窓６及び撮影レンズ７４を介して撮影ユニット１８により撮影する被写体の範囲である撮影範囲と、投影ユニット２０から射出され、光束調整部材２４のフラッシュ光用光束調整窓３０において進行方向及び光路領域を決定された後、投影窓８から射出されるフラッシュ光の照射範囲は、撮影ユニット１８における標準焦点の焦点位置において略一致する。また、図１５は、デジタルカメラ２を撮影ユニット１８側の側面から見た場合におけるフラッシュ光の照射範囲を示す側面図である。側面から見た場合においても同様に、撮影窓６及び撮影レンズ７４を介して撮影ユニット１８により撮影する被写体の範囲である撮影範囲と、投影ユニット２０から射出され、光束調整部材２４のフラッシュ光用光束調整窓３０において進行方向及び光路領域を決定された後、投影窓８から射出されるフラッシュ光の照射範囲は、撮影ユニット１８における標準焦点の焦点位置において略一致する。
【００２８】
このフラッシュ光が被写体に照射された状態において、撮像素子７２により撮影が行われ（ステップＳ１５）、撮像素子７２から撮像制御回路７０を介して読み出された撮像信号に基づく画像データはメモリ５４に記憶され、Ｅｘｉｆ等の所定のファイル形式の画像ファイルとしてメモリカード５６に記憶される。撮影が行われると、ＣＰＵ５０は、ＬＥＤ３３を消灯し、光束調整部材２４を元の位置（図８参照）に移動させる。
【００２９】
この実施の形態に係るデジタルカメラ２によれば、投影ユニット２０から投射されるＡＦ補助光やフラッシュ光を効果的に利用して被写体を撮影することができる。また、ＡＦ補助光発光装置及びフラッシュ光発光装置のための専用部品や回路等を備える必要がなくなり、デジタルカメラ２の小型化及びコストダウンを図ることができる。
【００３０】
なお、上述の実施の形態においては、被写体の輝度が所定の閾値を超えなかった場合にフラッシュ光を投射しているが、フラッシュ光の投射を指示するフラッシュボタンを設け、操作者によりフラッシュボタンが押下された場合に、光束調整部材２４のフラッシュ光用光束調整窓３０を投影ユニット２０の開口部４４上に位置させ、フラッシュ光を投射するようにしてもよい。
【００３１】
また、上述の実施の形態においては、ＬＥＤ３３の点灯時に光束の輝度が所定の輝度に調整されているが、所定の輝度は操作者が任意に設定できるようにしてもよい。また、ＬＥＤ３３の点灯時間を操作者が任意に設定できるようにしてもよい。
【００３２】
また、上述の実施の形態においては、ＣＰＵ５０により駆動モータ２６を駆動させて光束調整部材２４の位置を移動しているが、操作者により適宜光束調整部材２４の位置を移動できるようにしてもよい。
【００３３】
また、上述の実施の形態においては、電子機器としてデジタルカメラ２を例に説明したが、撮影ユニット及び投影ユニットを備えていれば、携帯電話等、他の電子機器においても本発明を適用することができる。
【符号の説明】
【００３４】
２…デジタルカメラ、４…筐体、６…撮影窓、８…投影窓、１２…レリーズボタン、１４…電源ボタン、１６…ＰＪボタン、１８…撮影ユニット、２０…投影ユニット、２２…電池、２４…光束調整部材、２６…駆動モータ、２７…遮蔽部、２８…ＡＦ補助光用光束調整窓、３０…フラッシュ光用光束調整窓。
【図１】
2011253022.tif 000003
【図２】
2011253022.tif 000004
【図３】
2011253022.tif 000005
【図４】
2011253022.tif 000006
【図５】
2011253022.tif 000007
【図６】
2011253022.tif 000008
【図７】
2011253022.tif 000009
【図８】
2011253022.tif 000010
【図９】
2011253022.tif 000011
【図１０】
2011253022.tif 000012
【図１１】
2011253022.tif 000013
【図１２】
2011253022.tif 000014
【図１３】
2011253022.tif 000015
【図１４】
2011253022.tif 000016
【図１５】
2011253022.tif 000017